(57)【特許請求の範囲】
【請求項１】
水を貯留する貯水室と、該貯水室内の貯水を加熱する加熱ヒータと、前記貯水室内の貯水に下端を水没させ回転により貯水を汲み上げて飛散させる筒状の回転体と、該回転体を回転駆動させる駆動手段と、前記回転体の回転により飛散された貯水が衝突する衝突体と、該衝突体で貯水が破砕されることで発生するナノミストと負イオンを開閉自在な吹出口から室内に供給する送風機と、前記貯水室内の温度を検出する温度検出手段と、運転スイッチ等を備えた操作部と、異常等が発生した時に報知する報知手段と、前記貯水室内の貯水の温度を設定温度に保持するように前記加熱ヒータの出力を制御すると共に、前記駆動手段および送風機を制御し、前記ナノミストおよび負イオンを室内に供給するミスト運転を行う制御手段とを備え、前記制御手段はミスト運転を開始してから所定時間後の加熱ヒータの出力と予め定めた所定出力値とを比較し、ミスト運転を開始してから所定時間後の加熱ヒータの出力が予め定めた所定出力値以下の時、吹出口が閉鎖状態であると判断して吹出口が閉鎖されていることを報知するミスト発生装置において、前記制御手段は加熱ヒータにより貯水室内の貯水を除菌するのに十分な予め設定された温度まで加熱する除菌運転を行う時、貯水室内の貯水が予め設定された温度に達した時に加熱ヒータによる加熱を停止し、該加熱ヒータによる加熱を停止してから所定時間経過後の貯水室内の貯水温度が予め定めた所定貯水温度以上の時、吹出口が閉鎖状態であると判断して吹出口が閉鎖されていることを報知することを特徴とするミスト発生装置。
【発明の詳細な説明】
【技術分野】
【０００１】
この発明は、ナノミストと負イオンを発生するミスト発生装置に関するものである。
【背景技術】
【０００２】
本出願人は先に下記の特許文献１にて、温かいナノミストと負イオンを発生するミスト発生装置を提供した。
かかるミスト発生装置を図４を用いて説明すると、１０１はミスト発生装置本体、１０２は貯水室、１０３は貯水室１０２内の水を加熱する加熱ヒータ、１０４は定水位室、１０５は貯水室１０２と定水位室１０４を連通する通水路、１０６は定水位室１０４に水を供給する給水タンクであり、給水タンク１０６からの給水により貯水室１０２および定水位室１０４には常時一定水位の給水が貯水されているものである。
また、１０７は貯水室１０２内の水の温度を検出する温度センサ、１０８は定水位室１０４内に設けられ、貯水室１０２および定水位室１０４内に一定水位以上の貯水があるときに水位有りを検出する水位検出用のフロートセンサである。
【０００３】
１０９は貯水室１０２の貯水に下端を水没させた筒状の回転体、１１０は回転体１０９の外周に間隔を有して位置し、回転体１０９と共に駆動モータ１１１の駆動で回転しこの回転による遠心力で押し上げられた水を飛散させてぶつけられる円筒状の多孔体、１１２は多孔体１１０の外周に位置し多孔体１１０から飛散される水がぶつかる送風筒、１１３は回転体１０９および多孔体１１０と共に駆動モータ１１１の駆動で回転する送風機で、駆動モータ１１１の駆動により、回転体１０９および多孔体１１０および送風機１１３が回転し、吸引口１１４から吸引された空気がナノミストおよび負イオンを含んで、吹出口１１５からナノミストおよび負イオンを含んだ空気が室内に放出されるものである。
また、１１６は運転スイッチ等を備えた操作部１１７からの入力信号や、温度センサ１０７およびフロートセンサ１０８の検出信号を受けて、加熱ヒータ１０３および駆動モータ１１１の動作を制御する制御手段である。
【０００４】
次に、このミスト発生装置１０１において、温ミスト運転について説明すると、温ミスト運転中は、温度センサ１０７の検出する水温に基づいて、加熱ヒータ１０３をＯＮ／ＯＦＦさせて、貯水室１０２内の一定水位の貯水を設定温度に保持し、駆動モータ１１１の駆動による回転体１０９の回転で、設定温度に加熱された貯水室１０２内の貯水を、回転体１０９の回転により回転体１０９下端から遠心力で押し上げて飛散させ、多孔体１１０および送風筒１１２にぶつけて破砕し微細化することで、温かいナノミストおよび負イオンを発生し、送風機１１３の回転で、温かいナノミストおよび負イオンを含んだ空気を室内に放出するものである。
【０００５】
この時、制御手段１１６は貯水室１０２内に一定水位以上の水位があるか否かをフロートセンサ１０８の検出信号から判断しており、貯水室１０２内に一定水位以上の水位がないと判断した場合は、水切れと判断し、加熱ヒータ１０３をＯＦＦすると共に、駆動モータ１１１を停止させて温ミスト運転を停止するものであった。
【先行技術文献】
【特許文献】
【０００６】
【特許文献１】特願２０１０−２８０３３９号
【発明の概要】
【発明が解決しようとする課題】
【０００７】
ところでこの従来のものでは、吹出口１１５の開閉は直接吹出口１１５を手で開閉するもので、吹出口１１５が閉じている状態では運転スイッチをオン操作する前後に手で吹出口１１５を開かなくてはいけないが、吹出口１１５が閉じている状態に気がつかずに運転スイッチをオン操作すると、吹出口１１５が閉じている状態で温ミスト運転を開始してしまい、送風機１１３が回転してもナノミストおよび負イオンを含んだ空気が吹出口１１５から噴き出さなかった。
【０００８】
また、それを防止するためには吹出口１１５の開閉を検知する検知手段を吹出口１１５に設けなくてはいけなかった。
【課題を解決するための手段】
【０００９】
この発明は上記課題を解決する為に、特にその構成を、水を貯留する貯水室と、該貯水室内の貯水を加熱する加熱ヒータと、前記貯水室内の貯水に下端を水没させ回転により貯水を汲み上げて飛散させる筒状の回転体と、該回転体を回転駆動させる駆動手段と、前記回転体の回転により飛散された貯水が衝突する衝突体と、該衝突体で貯水が破砕されることで発生するナノミストと負イオンを開閉自在な吹出口から室内に供給する送風機と、前記貯水室内の温度を検出する温度検出手段と、運転スイッチ等を備えた操作部と、異常等が発生した時に報知する報知手段と、前記貯水室内の貯水の温度を設定温度に保持するように前記加熱ヒータの出力を制御すると共に、前記駆動手段および送風機を制御し、前記ナノミストおよび負イオンを室内に供給するミスト運転を行う制御手段とを備え、前記制御手段はミスト運転を開始してから所定時間後の加熱ヒータの出力と予め定めた所定出力値とを比較し、ミスト運転を開始してから所定時間後の加熱ヒータの出力が予め定めた所定出力値以下の時、吹出口が閉鎖状態であると判断して吹出口が閉鎖されていることを報知するミスト発生装置において、前記制御手段は加熱ヒータにより貯水室内の貯水を除菌するのに十分な予め設定された温度まで加熱する除菌運転を行う時、貯水室内の貯水が予め設定された温度に達した時に加熱ヒータによる加熱を停止し、該加熱ヒータによる加熱を停止してから所定時間経過後の貯水室内の貯水温度が予め定めた所定貯水温度以上の時、吹出口が閉鎖状態であると判断して吹出口が閉鎖されていることを報知するものである。
【発明の効果】
【００１１】
この発明の請求項１によれば、ミスト運転を開始してから所定時間後の加熱ヒータの出力と予め定めた所定出力値とを比較し、ミスト運転を開始してから所定時間後の加熱ヒータの出力が予め定めた所定出力値以下の時、吹出口が閉鎖状態であると判断して吹出口が閉鎖されていることを報知するので、吹出口の開閉を検知する検知手段を設ける必要が無く、又吹出口の蓋が開放されていると判断すれば、温ミスト運転が設定されていればそのまま温ミスト運転を継続し、吹出口の蓋が閉鎖されていると判断すれば吹出口を開放するよう報知するので、使用者は吹出口の開閉を気にしていなくともミスト発生装置のほうで吹出口の開閉をチェックしてくれるので、使い勝手をよくすることができるものである。
【００１２】
また、加熱ヒータにより貯水室内の貯水を除菌するのに十分な予め設定された温度まで加熱する除菌運転を行う時、貯水室内の貯水が予め設定された温度に達した時に加熱ヒータによる加熱を停止し、該加熱ヒータによる加熱を停止してから所定時間経過後の貯水室内の貯水温度が予め定めた所定貯水温度以上の時、吹出口が閉鎖状態であると判断して吹出口が閉鎖されていることを報知するので、吹出口の開閉を検知する検知手段を設ける必要が無く、又吹出口の蓋が開放されていると判断すれば、除菌運転を終了した旨報知し、吹出口の蓋が閉鎖されていると判断すれば吹出口を開放するよう報知するので、使用者は吹出口の開閉を気にしていなくともミスト発生装置のほうで除菌運転の場合でも吹出口の開閉をチェックしてくれるので、使い勝手をよくすることができるものである。
【図面の簡単な説明】
【００１３】
【図１】この発明の一実施形態のミスト発生装置を示す概略構成図。
【図２】同要部ブロック図。
【図３】同吹出口の開閉を判定する制御のフローチャート図。
【図４】従来のミスト発生装置を示す概略構成図。
【発明を実施するための形態】
【００１４】
次に、この発明の一実施形態のミスト発生装置を図１および図２に基づき説明する。
１は室内の空気清浄や加湿、人の顔に直接ナノミストと負イオンを当てて美顔するミスト発生装置本体で、中央部には蓋体２に固定され吸引口３から吸引された室内空気を、中央で回転駆動するシロッコファンからなる送風機４まで案内する円筒状の案内筒５が備えられ、この案内筒５には、送風機４を覆うように送風機４下方まで垂下した送風筒６が設けられている。
【００１５】
７は前記案内筒５を覆った処理室で、処理室７の下部には円形椀状でアルミダイキャスト製の貯水室８が設けられ、この貯水室８には給水手段としての給水タンク９がセットされた定水位室１０が通水路１１を介して連通しており、給水タンク９は給水を落差方式で供給することで、貯水室８を常時一定水位に保つようにしているものである。
また、１２は定水位室１０内に設けられ、貯水室８および定水位室１０に一定水位以上の貯水があるときに水位有りを検出する水位検出信号を出力する水位検出手段としてのフロートセンサである。
【００１６】
１３は貯水室８下方で貯水室８を支持する駆動手段としての駆動モータで、全周をカバー体１４で覆われ装置本体１の底部を構成する基板１５に固定されており、さらにカバー体１４の外周壁に外方へ突出した樋状の流水溝１６を一周形成している。
【００１７】
１７は貯水室８の貯水に下部を水没させ、この貯水室８を貫通して送風機４を回転させる駆動軸１８に軸支された筒状の回転体で、この回転体１７は中空逆円錐形で上方に向かって径が徐々に拡大するものであり、回転体１７が回転することによりこの回転の遠心力で貯水室８の貯水を汲み上げ回転体１７の外壁および内壁を伝わせて押し上げて、回転体１７の外壁を伝わせて押し上げた貯水を周囲に飛散させると共に、回転体１７の内壁を伝わせて押し上げた貯水を回転体１７の上端に形成された複数の飛散口１９から周囲に飛散させるものである。
【００１８】
２０は回転体１７の上部外周に所定間隔を保持して位置し、回転体１７と共に回転する円筒状の多孔体で、多孔体２０にはその全周壁に多数のスリットや金網やパンチングメタル等から成る多孔部２１が形成されており、回転体１７の回転による遠心力で貯水室８内の水を汲み上げると共に空気を飛散させ、そして多孔部２１を通過させたり、ぶつけて破砕させることで、水の粒子を微細化してナノメートル（ｎｍ）サイズのミストを生成すると共に、水の粒子の微細化によるレナード効果で負イオンを発生させるものであり、また多孔部２１を通過した水の粒子は、さらに多孔体２０の外周の送風筒６の内壁に衝突して微細化されるものであり、前記多孔体２０および前記送風筒６から衝突体が構成されているものである。
【００１９】
２２は貯水室８外周を巻回して備えられ貯水室８内の貯水を加熱する加熱手段としての加熱ヒータで、温ミスト運転の時、送風量が「強」に設定されると貯水室８内の貯水温度を設定温度Ｔ３８℃前後に、送風量が「弱」に設定されると貯水室８内の貯水温度を設定温度Ｔ３４℃前後に加熱保温して吹き出し温度を３０℃程度に保持するものであり、貯水室８の底部から吐出し貯水室８内の貯水の温度を検出するサーミスタからなる温度検出手段としての温度センサ２３の検出温度によって、加熱ヒータ２２がＯＮ／ＯＦＦされて所定温度に保持するもので、加熱ヒータ２２を強制的にＯＦＦにし貯水室８内の貯水を加温しない冷ミスト運転も運転可能としている。
【００２０】
２４は送風筒６や多孔体２０の下端と対向して貯水室８上面を覆った皿状の水流阻止手段で、中央部には回転体１７の挿通穴２５が形成されており、この挿通穴２５から外周に延びる支持片２６によって水面が区画されることで、回転体１７の回転で回転しようとする水流を阻止し、回転体１７の回転による遠心力の作用で容易に水流が回転体１７内外周を上昇できるようにしたものである。
またこの水流阻止手段２４は、上方の送風筒６や多孔体２０にぶつかり微細化されなかった比較的大粒の水滴を受けることで、この水滴が直接貯水室８水面に落下して発生するバシャ、バシャという落下音をも阻止することができるものであり、そのために外周から中央部の挿通穴２５に向かって緩やかに下り傾斜しており、水滴を確実に自然なかたちで貯水室８に戻すことができるものである。
【００２１】
２７は回転体１７と多孔体２０の回転により発生したナノミストと負イオンとを、送風機４の駆動で処理室７上部の吹出口２８から放出させる流通路で、この流通路２７は送風筒６と水流阻止手段２４との隙間から、処理室７と案内筒５、送風筒６間を上昇して吹出口２８に向かう流路から構成されている。
【００２２】
２９は貯水室８と連通している通水路１１に備えられ常時閉弁側に押圧されている排水弁で、給水タンク９が定水位室１０にセット（収納）されることで、圧縮バネ（図示せず）によって常時押し上げられているロット３０が押し下げられて、ロット３０の下端が係止金具３１をロックして排水弁２９が閉弁状態とされ、給水タンク９がセットされている時は貯水室８内の残水の排水を確実に阻止するものであり、給水タンク９が取り去られることで、ロット３０が圧縮バネによって上方に押し上げられ、係止金具３１のロックが解除されて、排水弁２９は開弁可能状態となるものである。
【００２３】
３２は貯水室８内の残水の排水を受ける上面開放の排水トレーで、ミスト発生装置本体１内に出し入れ自在に備えられ、正面には手掛け部３３が形成されており、その容積は貯水室８の残水を十分に収容できる大きさとしているものである。  また、この排水トレー３２は内方後方に突出壁３４が形成され、排水レバー３５が下げられると係止金具３１が排水弁２９を押圧して開弁させ、その時、排水レバー３５の下端が突出壁３４より下方で且つ外側に位置し、排水中に排水トレー３２が抜き取られるのを突出壁３４と排水レバー３５が係合することで防止するものであり、排水が終了し排水レバー３５を引き上げて元に戻せば、係止金具３１の押圧が解除されて排水弁２９は閉弁され、排水トレー３２は容易に引き抜かれて、中に溜められた排水を台所等へ廃棄できるものである。
【００２４】
３６は駆動軸１８が貫通した貯水室８とカバー体１４との間の駆動軸１８途中に備えられた傘状の遮蔽板で、貯水室８から漏れた水が駆動軸１８部分を伝わって駆動モータ１３内に浸入するのを防止するものである。
【００２５】
３７は給水タンク９の給水口キャップで、内装した弁機構（図示せず）を固定された支持部（図示せず）で押し上げられることで給水タンク９から定水位室１０に給水されるものである。
また、３８は給水タンク９を出し入れする時に開閉するタンク蓋、３９は蓋体２を着脱するための持ち手、４０は吹出口２８に備えられナノミストと負イオンの吹き出し方向の変更を行う風向板である。
【００２６】
４１は運転スイッチ（図示せず）や温ミスト運転及び冷ミスト運転及び除菌運転のいずれかを設定する運転切り替えスイッチ（図示せず）や送風量を設定する送風スイッチ（図示せず）等を備えた操作部４２からの入力信号や、温度センサ２３およびフロートセンサ１２の検出信号を受けて、加熱ヒータ２２および駆動モータ１３の動作を制御する制御手段で、この制御手段４１は、加熱ヒータ２２の出力を制御するヒータ制御手段４３と、駆動モータ１３の出力を制御するモータ制御手段４４と、後述する温ミスト運転中に、前記ヒータ制御手段４３によって加熱ヒータ２２の出力がＯＦＦされている時、温度センサ２３の検出する貯水室８内の貯水の検出温度が、貯水室８内の貯水の設定温度Ｔより所定温度高い予め設定された過熱温度を跨いで昇温した回数をカウントするカウント手段４５と、温ミスト運転中にフロートセンサが水位無しを検出した場合、および、温ミスト運転中にカウント手段４５のカウントが予め設定された所定回数に達した場合に、加熱ヒータ２２および駆動モータ１３の駆動を停止させ、温ミスト運転を停止させるエラー停止手段４６と、時間を計時するタイマー手段４７とを備え、又温ミスト運転中にフロートセンサが水位無しを検出した場合やエラー停止等の異常が発生した時は報知手段４８により音声やブザーで異常を知らせるものである。
【００２７】
次に、図１に示す一実施形態のミスト発生装置の動作を説明する。
まず、操作部４２の運転スイッチをＯＮすると、制御手段４１はまず吹出口２８の開閉状態を確認し、吹出口２８が開放されているのを確認すると、運転切り替えスイッチにより加熱ヒータ２２がＯＮされて温ミストを発生する温ミスト運転か、加熱ヒータ２２がＯＮされて貯水室８内に貯留された貯水を除菌するのに十分な予め設定された温度、例えば７０℃に加熱する除菌運転か、加熱ヒータ２２がＯＦＦのままで冷ミストを発生する冷ミスト運転のどれが設定されているかを判断し、除菌運転が設定されている場合は、加熱ヒータ２２がＯＮされ、貯水室８内に貯留された貯水を除菌するのに十分な予め設定された温度、例えば７０℃に加熱する除菌運転が実行され、そして、温度センサ２３の検出する貯水室８内の貯水温度が７０℃に達すると、加熱ヒータ２２がＯＦＦされ除菌運転が終了し、運転スイッチを自動的にＯＦＦして除菌運転が終了したことを報知するものである。
【００２８】
又、吹出口２８が開放されているのを確認した後、冷ミスト運転が設定されている場合は、加熱ヒータ２２をＯＦＦの状態のまま駆動モータ１３の駆動を開始させ、ナノミストおよび負イオンを発生させる冷ミスト運転が実行されるものである。
【００２９】
又、吹出口２８が開放されているのを確認した後、温ミスト運転が設定されている場合は、ヒータ制御手段４３が温度センサ２３の検出する貯水室８内の貯水温度に基づいて、加熱ヒータ２２をＯＮ／ＯＦＦさせて、貯水室８内の一定水位の貯水を設定温度Ｔに保持するよう制御すると共に、モータ制御手段４４は、駆動モータ１３を設定された回転数になるよう制御し、ナノミストおよび負イオンを発生させ室内に供給する温ミスト運転が実行されるものである。
【００３０】
前記温ミスト運転では、駆動モータ１３の駆動により駆動軸１８に同軸で固定された送風機４および回転体１７が回転駆動され、送風機４の回転では、吸引口３から吸引される室内空気を案内筒５へ案内して吸引した後、処理室７下方に放出する。
【００３１】
一方、回転体１７の回転では、所定温度に加熱された貯水室８内の貯水が、回転体１７下端の回転により汲み上げられ、遠心力で回転体１７の外壁および内壁を伝って押し上げられて上昇し、回転体１７の外壁を伝わせて押し上げた貯水を外方に飛散されると共に、回転体１７の内壁を伝わせて押し上げた貯水を回転体１７の上端に形成された複数の飛散口１９から外方に飛散され、そして周囲に飛散された貯水は、回転体１７の上部外周に所定間隔を保持して位置し、回転体１７と共に回転する多孔体２０の多孔部２１に、ぶつかって破砕したり、多孔部２１を通過したものはこの外周の送風筒６の内壁に衝突して微細化される。
【００３２】
この時、回転体１７の回転によって円形で抵抗がない貯水室８内の貯水が、回転体１７と同方向に回転する水流を形成しようとするが、水流阻止手段２４の支持片２６が水面に没して抵抗となり、回転する水流の形成が阻止されるので、遠心力が十分に作用して貯水が回転体１７の周壁上を押し上げられて、上記したように良好に破砕されるものである。
【００３３】
そして、この加熱された温水の破砕と微細化によりナノミストを生成すると共に、レナード効果で負イオンを発生させ、発生したナノミストと負イオンを上記した送風機４の処理室７下方へ向かう送風で一旦水流阻止手段２４にぶつけて、大きくて重いミストを水流阻止手段２４に落下させて除去した後、微細なナノミストのみと負イオンを流通路２７を介して上部の吹出口２８から風向板４０で設定された吹き出し方向へ放出して室内に供給し、室内の加湿や空気清浄等を行うものである。
【００３４】
また、水流阻止手段２４は、上方の送風筒６や多孔体２０にぶつかり微細化されなかった比較的大粒の水滴の落下を受けることで、この水滴が直接貯水室８の貯水面に落下して発生するバシャ、バシャという落下音をも阻止することができるものであり、しかもこの水流阻止手段２４は、外周から中央部の挿通穴２５に向かって緩やかに下り傾斜しているので、落下した水滴は挿通穴２５から確実に貯水室８に戻されるものであり、戻される時の音も静かで済むものである。
【００３５】
さらに、この放出されるナノミストは、加熱された貯水から生成されるので、肌寒くなく温かいナノミストと負イオンの放出が得られ、冬季でも関係なく使用できるものであり、供給されるナノミストは３０℃程度の高温でも低温でもないちょうどよい中間温度であるから、カルキの析出や転倒による火傷の危険もなく、安全であり安心して使用されるものである。
【００３６】
また肺から吸引された負イオンは血液中に入り、その還元作用で血液の酸化を阻止し血液サラサラ状態とすると共に、その循環を良くし、末梢血管まで血液を行き渡らせることにより、痛みやこりを緩和することができると考えられている。
【００３７】
また、負イオンにより、疲労回復効果、精神安定効果、血液の浄化効果、抵抗力の増進効果、自律神経調整効果等があり、さらにナノミストによって、空気中の隅々まで行き渡り汚れた空気や細菌を抑制し、臭いまでも分解するもので、脱臭効果、除塵効果、除菌効果、もちろん加湿効果があるものであり、この加湿はベトツキがないサラサラで潤いのある空気で、毛穴からの浸透でお肌と髪の潤いを保つ効果を有するものであり、これらの効果が得られる負イオンとナノミストを大量に放出されるということは、これらの効果も増大するものである。
【００３８】
また、貯水室８内の加熱された貯水が、回転体１７と多孔体２０によって次々とナノミストとして放出されて減少すると、貯水室８の水位が低下し、この低下した水位分の水が給水タンク９から自動的に補水されるものであり、そしてこの補水によって貯水温度が低下すれば、温ミスト運転では加熱ヒータ２２がＯＮされて貯水温度を常に所定温度になるよう制御するものであり、常に肌に心地良い温度のナノミストを継続して供給できるものである。
【００３９】
さらに、給水タンク９内の給水が空になった場合は、タンク蓋３８を開口して給水タンク９をミスト発生装置本体１から取り出して、台所の蛇口から水道水を補給して元に戻せば、再び同じように使用できるもので、極めて使用勝手が良いものである。
【００４０】
また、ナノミストや負イオンを室内に放出するために、送風機４の駆動で吸引口３から吸引される室内空気は、処理室７内で飛散した貯水と交わることにより、空気中の塵や雑菌が最終的には貯水室８の貯水内に混入するので、室内の空気清浄が強力且つ良好に行われるものである。  
【００４１】
さらに、ミスト発生装置本体１を美顔器として使用する場合には、吹出口２８の近くに顔を近づけることで、吹出口２８から放出されるナノミストは、顔の無数の小さな毛穴から顔肌に入り込み、肌の保水力を高めると共に肌内の不純物を取り除くものであり、負イオンは、肌表面の老廃物を除去し綺麗でつやのある肌を取り戻せるようにするものであり、精神的にもリラックスして楽しみながら毎日繰り返し行えるものである。
【００４２】
次に、運転開始時の吹出口２８の開閉状態を確認する動作について、図３に示すフローチャートを用いて説明する。
まず操作部４２の運転スイッチがＯＮされると（Ｓ１）、制御手段４１は吹出口２８の開閉状態を判定するため（Ｓ２）、モード切り替えスイッチにより温ミストを発生する温ミスト運転か、貯水室８内に貯留された貯水を高温に加熱する除菌運転か、冷ミストを発生する冷ミスト運転のどれが設定されているかを判断する。（Ｓ３）
【００４３】
そこで温ミスト運転又は冷ミスト運転が設定されていた場合は、制御手段４１は加熱ヒータ２２の出力値による吹出口２８の蓋の開閉判定を行う。（Ｓ４）
まず、制御手段４１は通常の温ミスト運転を開始し（Ｓ５）、タイマー手段４７による計時を開始する。（Ｓ６）
タイマー手段４７が計時を開始してから所定時間、本実施例では１０分が経過したら（Ｓ７）、その時の加熱ヒータ２２の出力値と予め定めた所定値とを比較する。（Ｓ８）
【００４４】
これは温ミスト運転の時、吹出口２８からの吹き出し温度が所定の温度、本実施例では吹き出し温度を３０℃程度に保持するために貯水室８内の貯水を加熱ヒータ２２が加熱して、貯水室８内の貯水温度を設定温度に加熱保温するが、吹出口２８の蓋が開放されていれば、温められた貯水室８内の貯水が回転体１７下端の回転により汲み上げられ、回転体１７と共に回転する多孔体２０の多孔部２１にぶつかって破砕したり微細化され、そして流通路２７を介して上部の吹出口２８から風向板４０で設定された吹き出し方向へ放出されるが、それにより貯水室８内の貯水の水位が低下した分、給水タンク９内から給水されて貯水室８内の貯水温度が低下するので、加熱ヒータ２２が所定の出力で加熱し続けることとなる。
【００４５】
しかし、吹出口２８の蓋が開放されていると、温められた貯水室８内の貯水は吹出口２８から放出されないため、貯水室８内の温度が高くなると共に給水タンク９から貯水室８内への給水も少なくなるため、貯水室８内の貯水温度があまり低下せず、貯水室８内の貯水温度を設定温度に加熱保温する加熱ヒータ２２の出力は所定の出力より小さくなるものである。
【００４６】
本実施例では予め温ミスト運転で吹出口２８の蓋が開放されている時の加熱ヒータ２２の出力が定格の３０％に対して、温ミスト運転で吹出口２８の蓋が閉鎖されている時の加熱ヒータ２２の出力は定格の１０％であるのを確認している。
【００４７】
それにより、（Ｓ８）での所定値を定格の２０％とし、（Ｓ８）で加熱ヒータ２２の出力が定格の２０％未満の時は、制御手段４１は吹出口２８の蓋が開放されていると判定し（Ｓ９）、モード切り替えスイッチによる設定を再度確認して（Ｓ１０）、設定が温ミスト運転の場合はそのまま温ミスト運転を継続し（Ｓ１１）、（Ｓ１０）で設定が冷ミスト運転の場合は加熱ヒータ２２をＯＦＦにして温ミスト運転を一旦終了し（Ｓ１２）、加熱ヒータ２２をＯＦＦにしたまま冷ミスト運転を開始するものである。（Ｓ１３）
【００４８】
（Ｓ１３）で冷ミスト運転を開始するが、貯水室８内の貯水温度が設定温度に加熱保温されていたため、最初は温かいナノミストが吹出口２８から放出されるが、冷ミスト運転を継続することで給水タンク９から貯水室８内へ給水され貯水室８内の貯水温度が下がり、温かいナノミストから冷たいナノミストが放出されるようになって冷ミスト運転になるものである。
【００４９】
又、（Ｓ８）で加熱ヒータ２２の出力が定格の２０％以上の時は、制御手段４１は吹出口２８の蓋が閉鎖されていると判定し（Ｓ１４）、温ミスト運転を終了し（Ｓ１５）、運転スイッチを自動でＯＦＦにして（Ｓ１６）、報知手段４８にて吹出口２８の蓋を開くように報知するものである。（Ｓ１７）
【００５０】
又、（Ｓ３）でモード切り替えスイッチにより除菌運転が設定されてた場合は、制御手段４１は貯水室８内の貯水温度による吹出口２８の蓋の開閉判定を行う。（Ｓ１８）
まず、制御手段４１は通常の除菌運転を開始し（Ｓ１９）、貯水室８内の貯水温度が所定温度以上になったら（Ｓ２０）、加熱ヒータ２２への通電をＯＦＦすると共に（Ｓ２１）、タイマー手段４７による計時を開始する。（Ｓ２２）
【００５１】
そしてタイマー手段４７が計時を開始してから所定時間、本実施例では１０分が経過したら（Ｓ２３）、その時の貯水室８内の貯水温度と予め定めた所定温度とを比較する。（Ｓ２４）
【００５２】
これは除菌運転の時、加熱ヒータ２２の加熱により貯水室８内の貯水を除菌するのに十分な予め設定された温度、本実施例では７０℃にまで加熱して、その予め設定された温度に達したら加熱ヒータ２２がＯＦＦされて除菌運転が終了するが、吹出口２８が開放されている場合は貯水室８内の貯水の熱が吹出口２８から放出されるのに対して、吹出口２８が閉鎖されている場合は貯水室８内の貯水の熱が逃げられず、加熱ヒータ２２がＯＦＦされてから所定時間経過後では吹出口２８が開放されている場合の貯水室８内の貯水温度は、吹出口２８が閉鎖されている場合に比べて低くなるもので、本実施例では予め貯水室８内の貯水が予め設定された温度である７０℃に達して加熱ヒータ２２をＯＦＦした後、所定時間である１０分経過した時の貯水室８内の貯水温度が、吹出口２８が開放されている場合は２５℃、吹出口２８が閉鎖されている場合は３５℃であることを確認している。
【００５３】
それにより（Ｓ２４）での予め定めた所定温度を、本実施例では吹出口２８が開放されている場合の温度と吹出口２８が閉鎖されている場合の温度との中間の温度である３０℃に設定し、（Ｓ２４）での貯水室８内の貯水温度が３０℃未満の時は、制御手段４１は吹出口２８の蓋が開放されていると判定し（Ｓ２５）、除菌運転を終了し（Ｓ２６）、運転スイッチを自動でＯＦＦにして（Ｓ２７）、報知手段４８にて除菌運転が終了したことを報知するものである。（Ｓ２８）
【００５４】
又、（Ｓ２４）で貯水室８内の貯水温度が３０℃以上の時は、制御手段４１は吹出口２８の蓋が閉鎖されていると判定し（Ｓ２９）、除菌運転を終了して（Ｓ３０）、（Ｓ１６）に進んで運転スイッチを自動でＯＦＦにし、報知手段４８にて吹出口２８の蓋を開くように報知するものである。（Ｓ１７）
【００５５】
以上のように運転の設定が温ミスト運転又は冷ミスト運転の場合は、吹出口２８の開閉の判定を温ミスト運転状態での加熱ヒータ２２の出力により判定するので、吹出口２８の開閉を検知する検知手段を設ける必要が無く、又吹出口２８の蓋が開放されていると判断すれば、温ミスト運転が設定されていればそのまま温ミスト運転を継続し、冷ミスト運転が設定されていればしばらく温かいミストが放出されるものの、しばらくすると冷ミストが放出されて冷ミスト運転を行い、吹出口２８の蓋が閉鎖されていると判断すれば吹出口２８を開放するよう報知するので、使用者は吹出口２８の開閉を気にしていなくともミスト発生装置のほうで吹出口２８の開閉をチェックしてくれるので使い勝手をよくすることができるものである。
【００５６】
又、運転の設定が除菌運転の場合は、吹出口２８の開閉の判定を除菌運転状態で加熱ヒータ２２がＯＦＦされてから所定時間後の貯水室８内の貯水温度により判定するので、吹出口２８の開閉を検知する検知手段を設ける必要が無く、又吹出口２８の蓋が開放されていると判断すれば、除菌運転を終了した旨報知し、吹出口２８の蓋が閉鎖されていると判断すれば吹出口２８を開放するよう報知するので、使用者は吹出口２８の開閉を気にしていなくともミスト発生装置のほうで除菌運転の場合でも吹出口２８の開閉をチェックしてくれるので使い勝手をよくすることができるものである。
【符号の説明】
【００５７】
４  送風機
６  送風筒
８  貯水室
１２  フロートセンサ
１３  駆動モータ
１７  回転体
２０  多孔体
２２  加熱ヒータ
２３  温度センサ
２８  吹出口
４１  制御手段
４７  タイマー手段
４８  報知手段
４１  制御手段
４７  タイマー手段
４８  報知手段
【図１】
0005873748.tif 000002
【図２】
0005873748.tif 000003
【図３】
0005873748.tif 000004
【図４】
0005873748.tif 000005